(57)【特許請求の範囲】
【請求項１】
本体と左右のアームとを備え、本体は、左側部に袋の左側持ち手挿入孔の前後方向の一端縁を係止する一端縁係止部を有すると共に、右側部に袋の右側持ち手挿入孔の前後方向の一端縁を係止する一端縁係止部を有し、左アームは、下端部を本体の左側部に前後方向に回動自在に軸着し、上端部に袋の左側持ち手挿入孔の前後方向の他端縁を係止する他端縁係止部を有し、右アームは、下端部を本体の右側部に前後方向に回動自在に軸着し、上端部に袋の右側持ち手挿入孔の前後方向の他端縁を係止する他端縁係止部を有することを特徴とする袋掛け具。
【請求項２】
左側の取付台座及びアームと右側の取付台座及びアームを備え、各取付台座は、袋の一方の持ち手挿入孔の一端縁係止部を有し、各アームは、下端部を取付台座に前後方向に回動自在に軸着し、上端部に袋の一方の持ち手挿入孔の他端縁係止部を有することを特徴とする袋掛け具。
【発明の詳細な説明】
【技術分野】
【０００１】
本発明は、スーパーマーケット等の店舗で、客が袋の中に物を詰めるときに使用する袋掛け具に関するものである。
【背景技術】
【０００２】
従来スーパーマーケットなどでは、客がレジで清算した後に、レジ担当から手渡された使い捨てタイプのポリ袋、いわゆるレジ袋に商品を袋詰めして持ち帰るものであった。近年では、環境問題に配慮して、前述のレジ袋を使わずに客が持参した袋の中に購入商品を入れて持ち帰る傾向に移行しつつある。このときに、商品の袋詰めをサポートするものとして、特許文献１に示されるような袋掛け具が使用されるが、この袋掛け具は、袋詰めを行うテーブルなどから起立した本体の左右両側部から略水平方向前側に突出する一対の持ち手掛け部を有するものであり、客またはレジ担当者は、その左右の各持ち手掛け部に持参した袋の持ち手を掛けて袋を開口状態に維持し、その中に購入した商品を入れるものであった。
【特許文献１】特開２００１−１１４２３０号公報
【発明の開示】
【発明が解決しようとする課題】
【０００３】
ところが、この種の袋には肩掛けタイプや手提げタイプなど、形状や大きさ、持ち手の長さなどが異なる多種のものが存在する。このことから、前述した特許文献１に示される袋掛け具のように持ち手掛け部が固定したものでは、その種類によっては持ち手が掛け位置よりも余って撓んでしまうものもあることから、袋の開口状態を維持できない問題があった。また、具体的な事例として、袋を持参した客に対しては、レジ担当者が商品の袋詰めのサービスを行う店が多くあるが、前述したように袋を効率よく拡げられずに袋詰めに手間取ることで、レジの精算作業の効率にも影響をおよぼす問題が発生している。
本発明は、上記課題を鑑みてなされたものであり、様々な形態や大きさの袋に対応して容易且つ迅速に開口状態を維持し、袋詰めを効率的に行うことができる袋掛け具を提供することにある。
【課題を解決するための手段】
【０００４】
本発明の請求項１記載の発明は、本体と左右のアームとを備え、本体は、左側部に袋の左側持ち手挿入孔の前後方向の一端縁を係止する一端縁係止部を有すると共に、右側部に袋の右側持ち手挿入孔の前後方向の一端縁を係止する一端縁係止部を有し、左アームは、下端部を本体の左側部に前後方向に回動自在に軸着し、上端部に袋の左側持ち手挿入孔の前後方向の他端縁を係止する他端縁係止部を有し、右アームは、下端部を本体の右側部に前後方向に回動自在に軸着し、上端部に袋の右側持ち手挿入孔の前後方向の他端縁を係止する他端縁係止部を有することを特徴とする。
【０００５】
本発明の請求項２記載の発明は、左側の取付台座及びアームと右側の取付台座及びアームを備え、左右両取付台座は、袋の一方の持ち手挿入孔の一端縁係止部を有し、左右両アームは、下端部を取付台座に前後方向に回動自在に軸着し、上端部に袋の一方の持ち手挿入孔の他端縁係止部を有することを特徴とする。
【発明の効果】
【０００６】
請求項１記載の発明によれば、袋の持ち手挿入孔を一端縁係止部と他端縁係止部に各々掛け、さらに、左右両アームを一端縁係止部から離れる方向に回転すれば、袋の持ち手の一端と他端が引っ張られて持ち手挿入孔が拡がるので、持ち手が撓まずに常に袋を開口状態に維持でき、袋詰めのときに物が入れやすくなる。また、請求項２記載の発明によれば、一端縁係止部を有する取付台座により、前後に回転する一対の左右各アームを既設の袋掛け具や、あるいは袋詰めを行う場所の壁面など、場所を選ばず簡単に取り付けることができる。
【発明を実施するための最良の形態】
【０００７】
以下に、図面に基づいて袋掛け具の実施の形態を説明する。
図１は、第一実施形態の袋掛け具を示す斜視図である。図２は、第一実施形態の袋掛け具の使用状態を示す斜視図であり、（ａ）は、袋の持ち手を掛けるときの斜視図であり、（ｂ）は、袋の持ち手を掛けた状態から左右各アームを後方に回動したときの斜視図である。図３は、本袋掛け具にレジ袋を掛けた状態を示す斜視図である。図４は、本袋掛け具の各構成部品を展開した斜視図である。
【０００８】
袋掛け具の第一実施形態として、図１のように、本体１と、左右の各取付台座７と、左右各アーム２ａとから構成するものについて説明する。本体１は、台１ａと、台１ａの後部側から略垂直に起立した起立部１ｂとを有している。台１ａは、略正方形状をなす水平な板体であり、袋掛けを行う場所に本袋掛け具を安定して設置できるようになっている。起立部１ｂは、台１ａの後端部の左右方向に間隔をあけた両側部から略垂直に各々が起立するものであり、各起立部１ｂ、１ｂの上部間には、補強材１ｃが略水平に架設してある。また、本体１上部の左側部Ｌ及び右側部Ｒは、起立部１ｂの上部から各々が前方に突出しており、左右側部Ｌ、Ｒの前後方向の略中間部には、上方に突出した略逆凹字状をなす袋持ち手掛け部８ａ、８ｂを有している。
【０００９】
取付台座７は、図１及び図４を参照すれば、本体取付部７ａと、アーム支持部７ｂと、一端縁係止部３と、磁石９とからなっている。まず、本体取付部７ａは、一辺が長い長方形状をなす板体の上端縁を断面略逆コ字状に折り曲げて内周側に溝を有する第一鉤状部１０ａを形成してあり、さらに、本体取付部７ａの側面の略中央部においても第二鉤状部１０ｂを設けてあり、第二鉤状部１０ｂは、上辺以外の三方を凹字状に切除して切り起こし片をつくると共に、断面略逆凹字状に折り曲げて内周側に溝を形成しており、これにより、第一鉤状部１０ａと第二鉤状部１０ｂの各々の溝を本体１の左右側部のフレームに掛けることができる。アーム支持部７ｂは、前述した本体取付部７ａと左右に略一対形状をなすものであり、本体取付部７ａの第一鉤状部１０ａに掛けることのできる水平片１１ａと、水平片１１ａの左右一端縁のいずれか一方から垂下する垂直片１１ｂとから断面略逆Ｌ字状をなすものである。垂直片１１ｂの側面には、磁石９を固定するネジ用のネジ孔１１ｃが１２０°間隔の三箇所に設けてあり、さらに、各ネジ孔１１ｃが配置してある略中心位置には、アームを軸着するための軸通し孔１１ｄが設けてある。一端縁係止部３は、垂直に起立した棒材の上側の先端部が前方に屈曲して略Ｌ字状をなす掛け部１２ａと、その掛け部１２ａの下部に溶接した取付片１２ｂとからなっている。取付片１２ｂには、ネジ孔が設けてあり、アーム支持部７ｂの側部前側に設けてあるネジ孔１１ｅにネジ止めすることができる。磁石９は、肉厚の薄い円盤状をなすものであり、その側部には前述したアーム支持部７ｂの三箇所のネジ孔１１ｃに対応したネジ止部１３ａを有していると共に、各ネジ止部１３ａを配置してある中心位置には、軸通し孔１４ｃを設けてある。また、磁石９の磁力については、左右各アーム２ａ、２ｂを回せば摺動する程度のものを用いている。
尚、符号２５ａ、２５ｂは、一端縁係止部３ａ、３ｂと本体取付部７ａ、７ｂを固定するネジであり、符号２５ｃは、軸止用のネジである。
【００１０】
左右各アーム２ａ、２ｂは、図４を参照すれば、全体が略長方形状をなす肉厚の薄い板体で形成し、その板体の長手側両端縁を折り返して形成するものであり、左右各アーム２ａ、２ｂの長手方向の一端側の側面には軸通し孔１４ａを有すると共に、左右各アーム２ａ、２ｂの長手方向の他端側には他端縁係止部１６ａ、１６ｂを有している。また、軸通し孔１４ａの設けてある箇所は、円柱状をなすアーム台座１５の取付箇所となっており、アーム台座１５は、左右各アーム２ａ、２ｂを回転するときに距離をあけて本体１との接触を防ぐものであり、中心に軸通し孔１４ｂが設けてある。他端縁係止部１６ａ、１６ｂは、左右各アーム２ａ、２ｂの軸通し孔１４ａの設けてある箇所から長手方向に離れた箇所に設けてあると共に、中空のパイプ材を曲げ加工して形成したものである。他端縁係止部１６ａ、１６ｂは、左右各アーム２ａ、２ｂの一側面から左右方向外側に略水平に突出すると共に、先端部が下向きに屈曲した正面視略逆Ｌ字型をなすものであり、袋２０の左右の各持ち手挿入孔２４ａ、２４ｂに通したときに左右の持ち手２０ａ、２０ｂの一端部に先端部が掛かり、左右の各持ち手２０ａ、２０ｂが不意に抜け落ちない構造となっている。
【００１１】
第一実施形態の袋掛け具の作用について説明する。
図２（ａ）のように、まず、左右のアーム２ａ、２ｂを略垂直となるように跳ね上げた状態とする。そして、袋２０の左側持ち手挿入孔２４ａを本体１の左側にある一端縁係止部３ａに通して左側持ち手２０ａの孔内周側の一端部を掛けると共に、左側持ち手２０ａの孔内周側の他端部を左アーム２ａの他端縁係止部１６ａに掛ける。同様に、袋２０の右側持ち手挿入孔２４ｂを右側の一端縁係止部３ｂに通して右側持ち手２０ｂの孔２４ａ内周側の一端部に掛けると共に、右側持ち手２０ｂの孔２４ｂ内周側の他端部を右アーム２ｂの他端縁係止部１６ｂに掛ける。
次いで図２（ｂ）のように、左右のアーム２ａ、２ｂを後方に回転して袋２０の左側持ち手２０ａと右側持ち手２０ｂを引っ張り、左右の持ち手２０ａ、２０ｂを撓みのない緊張状態にする。このときに、左右の持ち手２０ａ、２０ｂが本体１の後方に引っ張られることに従い袋２０の開口２０ｃも次第に開いていき、最終的に袋２０の開口２０ｃが開いた状態に維持される。
尚、図３に示すものは、本袋掛け具にレジ袋２１を取り付けたときの状態を示すものであり、具体的には、左右各アーム２ａ、２ｂを前方に倒して本体１の左右側部と略水平な状態にすれば、左右のレジ袋持ち手係止部８ａ、８ｂが本体１の上部に露出してレジ袋２１の左右の持ち手挿入孔２６ａ、２６ｂを通して左右の持ち手２１ａ、２１ｂを掛けることができるので、これにより、レジ袋２１の開口２１ｃを拡げた状態で様々な種類の袋に対応して本袋掛け具を使用することができる。
【００１２】
本袋掛け具の第二実施形態として、図５に示すように、壁面Ｗに取り付けるものについて説明する。
本実施形態の袋掛け具は、取付台座２７ａ、２７ｂが下向きの溝を有する断面略逆凹状をなしており、取付台座２７ａ、２７ｂの前端部に一端縁係止部３１ａ、３１ｂをネジ３５ａ止めしてあると共に、取付台座２７ａ、２７ｂの一側部に、前述した第一実施形態の袋掛け具のものと略同一のものであるから詳細については省くがアーム台座３６と磁石３７を挟んでアーム２８ａ、２８ｂが前後回転自在にネジ３５ｂで軸着するものである。また、左右各アーム２８ａ、２８ｂは、軸着する箇所とはアーム２８ａ、２８ｂの長手方向に離れた箇所に他端縁係止部３８ａ、３８ｂを有しており、左右各アーム２８ａ、２８ｂの一側部から左右方向外側に突出したものであり、一端縁係止部３１ａ、３１ｂと共に袋２０の左右持ち手挿入孔２４ａ、２４ｂに挿入して左右の持ち手２０ａ、２０ｂを掛けることができる。また、本実施形態では、壁面Ｗの左右に間隔をあけた二箇所に、壁面Ｗから前方にブラケット３０ａ、３０ｂを突出させており、左右各ブラケット３０ａ、３０ｂの上方から取付台座２７ａ、２７ｂの溝を嵌め、さらに互いをネジ３５ａ止めして本袋掛け具を取り付けてある。
【００１３】
本発明は、上記実施形態のものに限らず、本体１や左右各アーム２ａ、２ｂ、２８ａ、２８ｂ、取付台座７、２７ａ、２７ｂの形状や大きさを特定するものではない。また、本実施のものでは、左右各アーム２ａ、２ｂ、２８ａ、２８ｂを所定角度で位置決めするのに磁石９、３７を用いているが、その他、取付台座７、２７ａ、２７ｂと左右各アーム２ａ、２ｂ、２８ａ、２８ｂをボールジョイントで連結したものなどであっても、左右各アーム２ａ、２ｂ、２８ａ、２８ｂを回転して所定の角度で位置決めすることができる。
【図面の簡単な説明】
【００１４】
【図１】本袋掛け具の第一実施形態を示す斜視図である。
【図２（ａ）（ｂ）】第一実施形態の袋掛け具の作動状態を示すものであり、（ａ）は、アームに袋の持ち手を掛けるときの状態を示す斜視図であり、（ｂ）は、袋の取り付けが完了した状態を示す斜視図である。
【図３】第一実施形態の袋掛け具にレジ袋を取り付けたときの状態を示す斜視図である。
【図４】第一実施形態の袋掛け具の各構成部品を展開して示す分解斜視図である。
【図５】本袋掛け具の第二実施形態を示す斜視図である。
【符号の説明】
【００１５】
１  本体
２ａ、２８ａ  左アーム（アーム）
２ｂ、２８ｂ  右アーム（アーム）
３ａ、３ｂ、３１ａ、３１ｂ  一端縁係止部
７、２７ａ、２７ｂ  取付台座
１６ａ、１６ｂ、３８ａ、３８ｂ  他端縁係止部
２０  袋
２１  レジ袋
２０ａ、２１ａ  左側持ち手
２０ｂ、２１ｂ  右側持ち手
２４ａ、２６ａ  左側持ち手挿入孔
２４ｂ、２６ｂ  右側持ち手挿入孔
Ｌ  左側部
Ｒ  右側部
【図１】
0004979562.tif 000002
【図２（ａ）（ｂ）】
0004979562.tif 000003
【図３】
0004979562.tif 000004
【図４】
0004979562.tif 000005
【図５】
0004979562.tif 000006